(57)【要約】【課題】  画像読取装置において、製造コストを増加することなく、コンタクトガラスの表面に対するカードの位置ずれを防止できるようにする。【解決手段】  筐体３の表面３ａに配された板状のコンタクトガラス５及び該コンタクトガラス５を覆う原稿押さえ板７により原稿を挟み込み、前記筐体３の内部に配された画像読取部９により前記コンタクトガラス５の表面５ａに載置された原稿の画像情報を読み取る画像読取装置であって、前記コンタクトガラス５の周縁５ｅに隣接する前記筐体３の表面３ａに、該筐体３の表面３ａから前記コンタクトガラス５と前記原稿押さえ板７との間に向けて薄板状のカード３１を挿入する挿入手段２１を設けた画像読取装置を提供する。【選択図】  図３
2006292987.tif 000002
【特許請求の範囲】
【請求項１】
筐体の表面に配された板状のコンタクトガラス及び該コンタクトガラスを覆う原稿押さえ板により原稿を挟み込み、前記筐体の内部に配された画像読取部により前記コンタクトガラスの表面に載置された原稿の画像情報を読み取る画像読取装置であって、
前記コンタクトガラスの周縁に隣接する前記筐体の表面に、該筐体の表面から前記コンタクトガラスと前記原稿押さえ板との間に向けて薄板状のカードを挿入する挿入手段が設けられていることを特徴とする画像読取装置。
【請求項２】
前記挿入手段が、前記筐体の表面に形成された凹部からなり、
前記凹部の底面が、前記コンタクトガラスの表面と滑らかに連結されていることを特徴とする請求項１に記載の画像読取装置。
【請求項３】
前記底面から垂直に立設する前記凹部の少なくとも１つの側面が、前記カードの挿入方向に沿って形成されていることを特徴とする請求項２に記載の画像読取装置。
【請求項４】
前記凹部の底面が、前記筐体の表面と滑らかに連結されていることを特徴とする請求項２又は請求項３に記載の画像読取装置。
【請求項５】
前記挿入手段に隣接する前記原稿押さえ板の端部に、該端部から前記コンタクトガラスの表面に対向する前記原稿押さえ板の表面に沿う方向に窪むと共に、前記原稿押さえ板の厚さ方向に貫通する切欠部が形成されていることを特徴とする請求項１から請求項４のいずれか１項に記載の画像読取装置。
【請求項６】
前記挿入手段に隣接する前記原稿押さえ板の端部に、前記コンタクトガラスの表面に対向する前記原稿押さえ板の表面から前記原稿押さえ板の厚さ方向に窪んだ溝が形成され、
該溝が、前記挿入手段に向けて開口することを特徴とする請求項１から請求項５のいずれか１項に記載の画像読取装置。
【請求項７】
前記溝の底面から前記原稿押さえ板の表面に向けて垂直に立設する前記溝の側面が、前記カードの挿入方向に沿って形成されることを特徴とする請求項６に記載の画像読取装置。
【発明の詳細な説明】
【技術分野】
【０００１】
本発明は、複写機やファクシミリ装置等の画像読取装置に関するものである。
【背景技術】
【０００２】
従来、複写機やファクシミリ装置等、原稿に記載された画像情報を取得する画像読取装置には、表面に原稿を載置するコンタクトガラスと、コンタクトガラスの表面に対向配置して原稿を挟み込む原稿押さえ板とを備えるものがある。コンタクトガラスの表面の面積は、免許証や名刺等の小さいカードから大きなサイズの用紙まで、様々な大きさの原稿の画像を取得できるように、大きなサイズの用紙と略同等の大きさとなっている。
この画像読取装置において、原稿の読み取りを行う際には、コンタクトガラスの表面に原稿を載置し、原稿押さえ板及びコンタクトガラスにより原稿を挟み込む。そして、この状態において、画像読取装置の画像読取部（スキャナ）によりコンタクトガラスに接触する原稿に記載された画像情報を取得する。
また、従来の画像読取装置としては、通常の紙原稿、及び、紙原稿よりも小さいカードの画像情報を、それぞれ別個のスキャナで取得するものもある（例えば、特許文献１参照。）。
【特許文献１】特開平１１−１８７１７０号公報
【発明の開示】
【発明が解決しようとする課題】
【０００３】
しかしながら、上記従来の画像読取装置において、コンタクトガラスの表面に小さいカードを載置した状態で原稿押さえを閉じる際には、カードが風圧等によりコンタクトガラスの表面上を滑るなどして、コンタクトガラスの表面に対するカードの位置ずれが発生するため、カードの位置決めが面倒であるという問題がある。
なお、特許文献１に記載の画像読取装置においては、大きな原稿及び小さなカードの画像情報の取得を、それぞれ別個のスキャナで行うため、上述したカードの位置ずれを防止することはできる。しかしながら、複数のスキャナが必要となるため、画像読取装置の製造コストが高くなるという問題がある。
【０００４】
この発明は、このような事情に鑑みてなされたものであって、製造コストを増加することなく、カードの位置ずれを防止できる画像読取装置を提供することを目的とする。
【課題を解決するための手段】
【０００５】
上記目的を達成するために、この発明は以下の手段を提案している。
本発明は、筐体の表面に配された板状のコンタクトガラス及び該コンタクトガラスを覆う原稿押さえ板７により原稿を挟み込み、前記筐体の内部に配された画像読取部により前記コンタクトガラスの表面に載置された原稿の画像情報を読み取る画像読取装置であって、前記コンタクトガラスの周縁に隣接する前記筐体の表面に、該筐体の表面から前記コンタクトガラスと前記原稿押さえ板との間に向けて薄板状のカードを挿入する挿入手段が設けられていることを特徴とする。
【０００６】
また、本発明は、前記挿入手段が、前記筐体の表面に形成された凹部からなり、前記凹部の底面が、前記コンタクトガラスの表面と滑らかに連結されていることを特徴とする。
さらに、本発明は、前記底面から垂直に立設する前記凹部の少なくとも１つの側面が、前記カードの挿入方向に沿って形成されていることを特徴とする。
【０００７】
また、本発明は、前記凹部の底面が、前記筐体の表面と滑らかに連結されていることを特徴とする。
さらに、本発明は、前記挿入手段に隣接する前記原稿押さえ板の端部に、該端部から前記コンタクトガラスの表面に対向する前記原稿押さえ板の表面に沿う方向に窪むと共に、前記原稿押さえ板の厚さ方向に貫通する切欠部が形成されていることを特徴とする。
【０００８】
また、本発明は、前記挿入手段に隣接する前記原稿押さえ板の端部に、前記コンタクトガラスの表面に対向する前記原稿押さえ板の表面から前記原稿押さえ板の厚さ方向に窪んだ溝が形成され、該溝が、前記挿入手段に向けて開口することを特徴とする。
さらに、本発明は、前記溝の底面から前記原稿押さえ板の表面に向けて垂直に立設する前記溝の側面が、前記カードの挿入方向に沿って形成されることを特徴とする。
【発明の効果】
【０００９】
本発明によれば、挿入手段を用いてコンタクトガラスと原稿押さえ板の間にカードを挿入することにより、コンタクトガラスの表面の面積よりも小さいカードをコンタクトガラス上に載置する際に、原稿押さえ板を開閉することなく、カードをコンタクトガラスと原稿押さえ板とにより挟み込むことができるため、コンタクトガラスの表面に対するカードの位置ずれを防止することができる。
また、同一の画像読取部により、コンタクトガラスの表面に配されるカード及びカードよりもサイズの大きい原稿に記載された画像情報を読み取ることができるため、画像読取装置の製造コスト増加を防止できる。
【発明を実施するための最良の形態】
【００１０】
図１から図３は本発明に係る一実施形態を示しており、ここで説明する実施の形態は、この発明を複写機に適用した場合のものである。図１に示すように、この実施の形態に係る複写機（画像読取装置）１は、原稿の印刷データを取得して印刷用紙に印刷するものであり、略直方体状の筐体３の上面（表面）３ａに配されたコンタクトガラス５と、コンタクトガラス５を覆う原稿押さえ板７と、コンタクトガラス５の表面５ａに配された原稿の画像情報を読み取る画像読取部９とを備えている。
また、この複写機１は、複数種類のサイズの印刷用紙を筐体３の正面３ｂ側から収容する給紙カセット１１を備えている。この給紙カセット１１から給紙され、原稿の印刷データを印刷した印刷用紙は、搬送ローラ（不図示）等により、筐体３の左側面３ｃに開口する排紙口１３から排紙トレイ１５に受け渡されるようになっている。
【００１１】
コンタクトガラス５は、透明なガラスを略矩形板状に形成したものであり、その表面５ａに印刷対象となる原稿を載置するように構成されている。
原稿押さえ板７は、コンタクトガラス５の表面５ａ全体を覆うように、略矩形状に形成されている。この原稿押さえ板７は、その一端部７ａを筐体３の背面３ｄ側に位置する筐体３の上面３ａに連結して、筐体の上面３ａに対して基準軸線Ｌ１を中心に回動自在とされている。この基準軸線Ｌ１は、筐体３の背面３ｄ側に位置するコンタクトガラス５の後端辺５ｂに隣接すると共に、この後端辺５ｂと平行な方向（ＡＢ方向）に延びている。これにより、原稿押さえ板７を基準軸線Ｌ１回りに回動させてコンタクトガラス５に対して開閉することができる。
なお、図２，３に示すように、コンタクトガラス５の表面５ａは、筐体３の上面３ａから窪んだ位置に配されている。また、原稿押さえ板７は、スポンジ等の弾性変形可能なクッション部１７を備えており、このクッション部１７は、コンタクトガラス５の表面５ａに対向配置される原稿押さえ板７の表面７ｂを構成している。
【００１２】
図１に示すように、画像読取部９は、コンタクトガラス５を通じて外方を臨むように筐体３の内部に配されており、線光源及びラインセンサ（不図示）から構成されるものである。この画像読取部９の線光源及びラインセンサは、コンタクトガラス５の後端辺５ｂに直交する方向（ＣＤ方向）、すなわち、筐体３の左側面３ｃ側に位置するコンタクトガラス５の左端辺５ｃに沿う方向に延びて形成されている。
画像読取部９は、コンタクトガラス５の左端辺５ｃの近傍に待機しており、コンタクトガラス５の表面５ａに載置した原稿の画像情報を読み取る際に、コンタクトガラス５の長手方向（ＡＢ方向）に走査して原稿の画像情報を読み取るように構成されている。すなわち、原稿を読み取る際に画像読取部９は、コンタクトガラス５の左端辺５ｃからこれに対向する右端辺５ｄに向かう方向（Ｂ方向）に移動し、原稿の読み取りが終了すると、コンタクトガラス５の左端辺５ｃ近傍の待機位置に復帰する。
【００１３】
また、筐体３の正面３ｂ側に位置する筐体３の上面３ａには、印刷開始キー１９ａや表示部１９ｂ等からなる操作パネル１９が設けられており、この操作パネル１９を操作することにより、複写機１における各種の印刷設定や印刷状況の確認を行うことができる。すなわち、この操作パネル１９においては、例えば、原稿の用紙サイズに合わせて印刷用紙のサイズを選択することができる。
なお、前述した画像読取部９は、この操作パネル１９において選択された印刷用紙のサイズに合わせて、コンタクトガラス５の左端辺５ｃ側から走査を開始するように構成されている。すなわち、選択された印刷用紙のサイズに応じて、コンタクトガラス５の左端辺５ｃから移動する画像読取部９の走査距離が変化するため、原稿の画像情報を印刷用紙に印刷する際には、原稿をコンタクトガラス５の左端辺５ｃ側に寄せて配置する。
【００１４】
さらに、この複写機１は、原稿押さえ板７によりコンタクトガラス５の表面５ａを覆った状態で、コンタクトガラス５と原稿押さえ板７との間に免許証や名刺等の薄板状のカードを挿入するための挿入用凹部（挿入手段）２１を備えている。
この挿入用凹部２１は、図２，３に示すように、筐体３の上面３ａから窪んで形成され、筐体３の正面３ｂ側に位置して後端辺５ｂと平行に配されるコンタクトガラス５の前端辺５ｅに隣接している。また、この挿入用凹部２１は、前端辺５ｅのうち、コンタクトガラス５の左端辺５ｃ側の近傍に位置している。
【００１５】
挿入用凹部２１の底面２１ａは、筐体３の上面３ａからコンタクトガラス５の表面５ａに向けて傾斜しており、筐体３及びコンタクトガラス５の表面３ａ，５ａと滑らかに連結されている。なお、この底面２１ａの傾斜方向は、コンタクトガラス５の前端辺５ｅに直交する方向（ＣＤ方向）となっている。
また、挿入用凹部２１の幅方向（ＡＢ方向）の両端には、底面２１ａから筐体３の上面３ａに向けて垂直に立設する一対の側面２１ｂ，２１ｃが形成されている。各側面２１ｂ，２１ｃは、コンタクトガラス５の前端辺５ｅに直交する方向（ＣＤ方向）に延びて形成されている。
【００１６】
また、筐体３の上面３ａに連結される一端部７ａと反対側に位置する原稿押さえ板７の他端部７ｃには、原稿押さえ板７の他端部７ｃから一端部７ａに向かう方向（Ｃ方向）に窪むと共に、原稿押さえ板７の厚さ方向に貫通する切欠部２３が形成されている。この切欠部２３は、原稿押さえ板７の他端部７ｃのうち挿入用凹部２１に隣接する位置に形成されている。
この原稿押さえ板７によりコンタクトガラス５の表面５ａを覆った状態においては、この切欠部２３を介してコンタクトガラス５の表面５ａの一部が外方に露出することになる。また、この状態においては、切欠部２３に隣接する原稿押さえ板７の他端部７ｃが、筐体３の上面３ａに当接し、クッション部１７が圧縮されて弾性変形する。このため、挿入用凹部２１の底面２１ａに隣接して位置するクッション部１７の表面７ｂとコンタクトガラス５の表面５ａとの間には、底面２１ａ側に開口する隙間Ｓが形成されることになる。
【００１７】
以上のように構成された複写機１を用いて、コンタクトガラス５の表面５ａよりも小さい平面視略矩形状のカード３１の画像情報を読み取る方法について以下に述べる。
はじめに、コンタクトガラス５の表面５ａを原稿押さえ板７により覆った状態で、カード３１を挿入用凹部２１の底面２１ａに配する。この状態においては、カード３１の両側部の各辺が挿入用凹部２１の側面２１ｂ，２１ｃに当接する。すなわち、カード３１は、これら側面２１ｂ，２１ｃによりコンタクトガラス５の前端辺５ｅに沿う方向（ＡＢ方向）に移動しないように規制され、コンタクトガラス５の左端辺５ｃ沿う方向（ＣＤ方向）のみに移動することができる。
次いで、挿入用凹部２１の底面２１ａに配されたカード３１を、コンタクトガラス５の表面５ａに向けてＣ方向に移動させ、カード３１の先端を隙間Ｓに挿入する。したがって、この状態からカード３１をＣ方向にさらに移動させた際には、カード３１の移動に伴ってクッション部１７を弾性変形させながら、カード３１をクッション部１７の表面７ｂとコンタクトガラス５の表面５ａとの隙間に挟み込むことができる。
【００１８】
そして、このカード３１全体をコンタクトガラス５の表面５ａに配した状態においては、カード３１がコンタクトガラス５の左端辺５ｃ及び前端辺５ｅの近傍に配されることになる。また、この状態においては、原稿押さえ板７の切欠部２３を介してカード３１の一部を外方に露出させることができる。すなわち、カード３１をコンタクトガラス５と原稿押さえ板７との間に挟み込んだ状態においても、手指により外方に露出するカード３１の一部に触れることができる。
【００１９】
その後、カード３１をコンタクトガラス５と原稿押さえ板７との間に挟み込んだ状態において、操作パネル１９の印刷開始キー１９ａを押すことにより、画像読取部９がコンタクトガラス５の左端辺５ｃ近傍の待機位置からＢ方向に移動しながら、コンタクトガラス５の表面５ａに接触するカード３１の表面３１ａに記載された画像情報を取得する。なお、この際には、予め操作パネル１９を適宜操作して、小さい用紙サイズを選択し、画像読取部９の走査距離が小さくなるように設定することが好ましい。
【００２０】
以上のように、画像情報の取得が終了した後には、切欠部２３から外方に露出するカード３１を手指によりＤ方向に移動させて、カード３１をコンタクトガラス５と原稿押さえ板７との間から取り出す。
なお、この複写機１において、カード３１よりもサイズの大きい紙原稿（不図示）に記載された画像情報を読み取る場合には、原稿押さえ板７をコンタクトガラス５に対して開いた状態で、コンタクトガラス５の表面５ａに紙原稿を載置する。そして、基準軸線Ｌ１を中心に原稿押さえ板７を回動させてコンタクトガラス５に覆い被せ、操作パネル１９を操作して画像読取部９により紙原稿の画像情報を取得する。
【００２１】
上記のように、この画像読取装置１によれば、原稿押さえ板７をコンタクトガラス５に対して開閉することなく、カード３１をコンタクトガラス５と原稿押さえ板７との間に挟み込むことができるため、コンタクトガラス５の表面５ａに対するカード３１の位置ずれを防止することができる。
また、同一の画像読取部９により、コンタクトガラス５の表面５ａに配されるサイズの小さいカード３１やサイズの大きい紙原稿に記載される画像情報を読み取ることができるため、複写機１の製造コスト増加を防止することもできる。
【００２２】
さらに、挿入用凹部２１の底面２１ａとコンタクトガラス５の表面５ａとを滑らかに連結することにより、カード３１を挿入用凹部２１の底面２１ａからコンタクトガラス５の表面５ａまで滑らかに移動させることができるため、コンタクトガラス５と原稿押さえ板７との間にカード３１を容易に挿入することができる。
また、挿入用凹部２１の側面２１ｂ，２１ｃが、筐体３の上面３ａからコンタクトガラス５の表面５ａに向けて延びるように形成されているため、コンタクトガラス５と原稿押さえ板７との間にカード３１を挿入する際には、カード３１の両側部の各辺が側面２１ｂ，２１ｃに当接して、カード３１を挿入用凹部２１の側面２１ｂ，２１ｃに沿う方向のみに移動させることができる。したがって、コンタクトガラス５の表面５ａにおけるカード３１の向きを容易に設定することができる。
【００２３】
さらに、原稿押さえ板７に切欠部２３を形成することにより、コンタクトガラス５上におけるカード３１の位置や向きがずれていたとしても、カード３１の露出部分に手指で触れてカード３１を移動させることができるため、コンタクトガラス５上におけるカード３１の位置を容易に修正することができる。
また、切欠部２３を介してコンタクトガラス５及び原稿押さえ板７に配されたカード３１の一部を視認することができるため、画像読取部９による画像の読み取りが終了した後に、カード３１を取り忘れることを防止することができる。
さらに、切欠部２３から外方に露出するカード３１を手指により移動させることができるため、原稿押さえ板７をコンタクトガラス５に対して開くことなく、コンタクトガラス５と原稿押さえ板７との間からカード３１を容易に取り出すこともできる。
【００２４】
また、挿入用凹部２１の底面２１ａが筐体３の上面３ａと滑らかに連結されているため、カード３１の挿入方向（ＣＤ方向）に関するカード３１の長さ寸法が挿入用凹部２１の底面２１ａの長さ寸法よりも大きくても、筐体３の上面３ａ及び挿入用凹部２１の底面２１ａにわたってカード３１を配した状態で、コンタクトガラス５の表面５ａに向けてカード３１を滑らかに移動させることができる。したがって、コンタクトガラス５と原稿押さえ板７との間へのカード３１の挿入を容易に行うことができる。
さらに、挿入用凹部２１は、コンタクトガラス５の左端辺５ｃの近傍に配されているため、この挿入用凹部２１からコンタクトガラス５と原稿押さえ板７との間にカード３１を挿入した際には、カード３１を、コンタクトガラス５の表面５ａのうち、左端辺５ｃの近傍に配することができる。したがって、左端辺５ｃの近傍に待機する画像読取部９の走査距離を最小限に抑えることが可能となり、カード３１の画像情報の読み取り時間を短くすることができる。
【００２５】
なお、上記実施形態においては、挿入用凹部２１の一対の側面２１ｂ，２１ｃ間の幅寸法がカード３１の幅寸法と等しい場合について述べたが、これに限ることはなく、例えば、図４，５に示すように、カード３１の幅寸法よりも大きくてもよい。この場合には、挿入用凹部２１の一方の側面２１ｂにカード３１の一辺を当接させた状態で、コンタクトガラス５と原稿押さえ板７との間にカード３１を挿入することにより、コンタクトガラス５の表面５ａに対するカード３１の向きを容易に設定することができる。また、上記のように、挿入用凹部２１の側面２１ｂ，２１ｃ間の幅寸法を大きめに設定しておくことにより、様々な大きさのカード３１を挿入することが可能となる。
【００２６】
また、上記実施形態においては、原稿押さえ板７の他端部７ｃを筐体３の上面３ａに重ねて配することにより、カード３１を挿入するための隙間Ｓを形成するとしたが、これに限ることはなく、例えば、図４，５に示すように、クッション部１７の表面７ｂからその厚さ方向に窪む溝２５を形成し、この溝２５を挿入用凹部２１に向けて開口させるとしてもよい。この構成でも、挿入用凹部２１からコンタクトガラス５の表面５ａと溝２５の底面２５ａとの隙間に向けてカード３１を容易に挿入することができる。
【００２７】
さらに、上記のように、クッション部１７に溝２５を形成する場合には、溝２５の底面２５ａからクッション部１７の表面７ｂに向けて立設し、挿入用凹部２１の各側面２１ｂ，２１ｃと同一平面を形成する側壁面（側面）２５ｂ，２５ｃを形成してもよい。この構成の場合には、一方の側面２１ｂ及び側壁面２５ｂ，２５ｃにカード３１の一辺を当接させた状態で、コンタクトガラス５と原稿押さえ板７との間にカード３１を挿入することができるため、コンタクトガラス５の表面５ａに対するカード３１の向きをさらに容易に設定することができる。
【００２８】
また、挿入用凹部２１の底面２１ａは、筐体３の表面３ａと滑らかに連結されるとしたが、これに限ることはなく、少なくともコンタクトガラス５の表面５ａに滑らかに連結されていればよい。すなわち、挿入用凹部２１の底面２１ａは、例えば、コンタクトガラス５の表面５ａと共に同一平面を構成するように形成してもよい。
さらに、挿入用凹部２１は、筐体３の上面３ａから窪んで形成されるとしたが、筐体３の上面３ａとコンタクトガラス５の表面５ａとの間に段差がない場合は、これに限らず、例えば、筐体３の上面３ａに一対のリブを突出して形成し、筐体３の上面３ａ及び一対のリブにより挿入用凹部２１を形成するとしても構わない。この構成の場合には、筐体３の上面３ａの一部により挿入用凹部２１の底面２１ａが構成されることになる。
【００２９】
また、挿入用凹部２１は、コンタクトガラス５の前端辺５ｅに隣接する筐体３の上面３ａに形成されるとしたが、これに限ることはなく、少なくともコンタクトガラス５の周縁に隣接する筐体３の上面３ａに形成されていればよい。すなわち、挿入用凹部２１は、例えば、コンタクトガラス５の左端辺５ｃや右端辺５ｄに隣接する筐体３の上面３ａに形成されるとしても構わない。ただし、画像読取部９の待機位置がコンタクトガラス５の左端辺５ｃの近傍であることを考慮すると、挿入用凹部２１は、コンタクトガラス５の左端辺５ｃに隣接する位置、若しくは、左端辺５ｃの近傍に位置するコンタクトガラス５の前端辺５ｅに隣接する位置に形成することが好ましい。
【００３０】
さらに、本実施形態においては、複写機１について述べたが、少なくとも原稿に記載された画像情報を取得する画像読取装置であればよい。したがって、本実施形態の構成を、例えば、ファクシミリ装置に適用しても構わない。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３１】
【図１】この発明の一実施形態に係る複写機を示す概略斜視図である。
【図２】図１の画像形成装置において、原稿押さえ板をコンタクトガラスに対して閉じた状態を示す概略平面図である。
【図３】図２のＥ−Ｅ矢視断面図である。
【図４】この発明の他の実施形態に係る複写機において、原稿押さえ板をコンタクトガラスに対して閉じた状態を示す概略平面図である。
【図５】図４のＦ−Ｆ矢視断面図である。
【符号の説明】
【００３２】
１・・・複写機（画像読取装置）、３・・・筐体、３ａ・・・上面（表面）、５・・・コンタクトガラス、５ａ・・・表面、５ｅ・・・前端辺（周縁）、７・・・原稿押さえ板、７ｂ・・・表面、７ｃ・・・他端部、９・・・画像読取部、２１・・・挿入用凹部（挿入手段）、２１ａ・・・底面、２１ｂ，２１ｃ・・・側面、２３・・・切欠部、２５・・・溝、２５ａ・・・底面、２５ｂ，２５ｃ・・・側壁面（側面）、３１・・・カード、Ｌ１・・・基準軸線
【図１】
2006292987.tif 000003
【図２】
2006292987.tif 000004
【図３】
2006292987.tif 000005
【図４】
2006292987.tif 000006
【図５】
2006292987.tif 000007